【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
過去の音源より生成した適応音源と、所定数のパルス位置と該パルス位置に対応した極性で構成された駆動音源とを用いて、入力音声をフレーム単位に符号化して音声符号を出力する音声符号化装置において、
複数のパルス位置の内の第１のパルス位置にインパルスを立てた時の第１のインパルス応答と、上記複数のパルス位置の内の第２のパルス位置にインパルスを立てた時の第２のインパルス応答との第１の相関値を、上記第１のパルス位置と上記第２のパルス位置の全ての組み合わせについて計算する相関値算出手段と、
上記複数のパルス位置の内の１つのパルス位置にインパルスを立てた時のインパルス応答と上記適応音源に基づく合成音との間の第２の相関値を計算し、上記第２の相関値を用いて、上記第１の相関値を補正する相関値補正手段と、
上記補正された第１の相関値を用いて符号化歪に関する評価値を計算し、該評価値を用いて上記駆動音源の上記所定数のパルス位置を探索する探索手段とを備え、
上記相関値補正手段は、上記適応音源に基づく合成音のパワーと上記第２の相関値の積とを用いて補正を行うことを特徴とする音声符号化装置。
【請求項２】
過去の音源より生成した適応音源と、所定数のパルス位置と該パルス位置に対応した極性で構成された駆動音源とを用いて、入力音声をフレーム単位に符号化して音声符号を出力する音声符号化方法において、
複数のパルス位置の内の第１のパルス位置にインパルスを立てた時の第１のインパルス応答と、上記複数のパルス位置の内の第２のパルス位置にインパルスを立てた時の第２のインパルス応答との第１の相関値を、上記第１のパルス位置と上記第２のパルス位置の全ての組み合わせについて計算する相関値算出ステップと、
上記複数のパルス位置の内の１つのパルス位置にインパルスを立てた時のインパルス応答と上記適応音源に基づく合成音との間の第２の相関値を計算し、上記第２の相関値を用いて、上記第１の相関値を補正する相関値補正ステップと、
上記補正された第１の相関値を用いて符号化歪に関する評価値を計算し、該評価値を用いて上記駆動音源の上記所定数のパルス位置を探索する探索ステップとを備え、
上記相関値補正ステップは、上記適応音源に基づく合成音のパワーと上記第２の相関値の積とを用いて補正を行うことを特徴とする音声符号化方法。
【請求項３】
過去の音源より生成した適応音源と、所定数のパルス位置と該パルス位置に対応した極性で構成された駆動音源とを用いて、入力音声をフレーム単位に符号化して音声符号を出力する音声符号化方法において、
複数のパルス位置の内の第１のパルス位置にインパルスを立てた時の第１のインパルス応答と、上記複数のパルス位置の内の第２のパルス位置にインパルスを立てた時の第２のインパルス応答との第１の相関値を計算する相関値算出ステップと、
上記第２の相関値とは異なる第２の相関値を計算し、上記第２の相関値を用いて、上記第１の相関値を補正する相関値補正ステップと、
上記補正された第１の相関値を用いて上記駆動音源の上記所定数のパルス位置を探索する探索ステップとを備えたことを特徴とする音声符号化方法。
【手続補正２】
【補正対象書類名】明細書
【補正対象項目名】００４１
【補正方法】変更
【補正の内容】
【００４１】
この発明に係る音声符号化装置は、複数のパルス位置の内の第１のパルス位置にインパルスを立てた時の第１のインパルス応答と、複数のパルス位置の内の第２のパルス位置にインパルスを立てた時の第２のインパルス応答との第１の相関値を、第１のパルス位置と第２のパルス位置の全ての組み合わせについて計算する相関値算出手段と、複数のパルス位置の内の１つのパルス位置にインパルスを立てた時のインパルス応答と適応音源に基づく合成音との間の第２の相関値を計算し、第２の相関値を用いて、第１の相関値を補正する相関値補正手段と、補正された第１の相関値を用いて符号化歪に関する評価値を計算し、該評価値を用いて駆動音源の所定数のパルス位置を探索する探索手段とを備え、相関値補正手段は、適応音源に基づく合成音のパワーと第２の相関値の積とを用いて補正を行うようにしたものである。
【手続補正３】
【補正対象書類名】明細書
【補正対象項目名】００４２
【補正方法】変更
【補正の内容】
【００４２】
この発明に係る音声符号化方法は、複数のパルス位置の内の第１のパルス位置にインパルスを立てた時の第１のインパルス応答と、複数のパルス位置の内の第２のパルス位置にインパルスを立てた時の第２のインパルス応答との第１の相関値を、第１のパルス位置と第２のパルス位置の全ての組み合わせについて計算する相関値算出ステップと、複数のパルス位置の内の１つのパルス位置にインパルスを立てた時のインパルス応答と適応音源に基づく合成音との間の第２の相関値を計算し、第２の相関値を用いて、第１の相関値を補正する相関値補正ステップと、補正された第１の相関値を用いて符号化歪に関する評価値を計算し、該評価値を用いて駆動音源の所定数のパルス位置を探索する探索ステップとを備え、相関値補正ステップは、適応音源に基づく合成音のパワーと第２の相関値の積とを用いて補正を行うようにしたものである。
【手続補正４】
【補正対象書類名】明細書
【補正対象項目名】００４３
【補正方法】変更
【補正の内容】
【００４３】
この発明によれば、複数のパルス位置の内の第１のパルス位置にインパルスを立てた時の第１のインパルス応答と、複数のパルス位置の内の第２のパルス位置にインパルスを立てた時の第２のインパルス応答との第１の相関値を、第１のパルス位置と第２のパルス位置の全ての組み合わせについて計算する相関値算出手段と、複数のパルス位置の内の１つのパルス位置にインパルスを立てた時のインパルス応答と適応音源に基づく合成音との間の第２の相関値を計算し、第２の相関値を用いて、第１の相関値を補正する相関値補正手段と、補正された第１の相関値を用いて符号化歪に関する評価値を計算し、該評価値を用いて駆動音源の所定数のパルス位置を探索する探索手段とを備え、相関値補正手段は、適応音源に基づく合成音のパワーと第２の相関値の積とを用いて補正を行うことにより、探索手段における処理量を増やさずに、符号化対象信号を適応音源に対して直交化することができ、これにより符号化特性を改善でき、高品質の音声符号化装置を提供できるという効果がある。
【手続補正５】
【補正対象書類名】明細書
【補正対象項目名】００４４
【補正方法】変更
【補正の内容】
【００４４】
この発明によれば、複数のパルス位置の内の第１のパルス位置にインパルスを立てた時の第１のインパルス応答と、複数のパルス位置の内の第２のパルス位置にインパルスを立てた時の第２のインパルス応答との第１の相関値を、第１のパルス位置と第２のパルス位置の全ての組み合わせについて計算する相関値算出ステップと、複数のパルス位置の内の１つのパルス位置にインパルスを立てた時のインパルス応答と適応音源に基づく合成音との間の第２の相関値を計算し、第２の相関値を用いて、第１の相関値を補正する相関値補正ステップと、補正された第１の相関値を用いて符号化歪に関する評価値を計算し、該評価値を用いて駆動音源の所定数のパルス位置を探索する探索ステップとを備え、相関値補正ステップは、適応音源に基づく合成音のパワーと第２の相関値の積とを用いて補正を行うことにより、探索ステップにおける処理量を増やさずに、符号化対象信号を適応音源に対して直交化することができ、これにより符号化特性を改善でき、高品質の音声符号化方法を提供できるという効果がある。